(57)【特許請求の範囲】
【請求項１】
振動可能な弦と、
音程が全音、全音、半音、全音、全音、全音及び半音の繰り返しとなるように配列された鍵盤であって前記弦毎に対応するように設けられた鍵盤のみからなる鍵盤部と、前記鍵盤部を支持する支持部と、押鍵された前記鍵盤に連動して打弦するハンマーとを有する鍵盤ユニットと、
前記ハンマーによる打弦により振動する前記弦を振動させ続けるためのダンパーペダルと、
前記鍵盤の配列方向で前記ダンパーペダルより低音側に配置された第１のペダルと、
前記鍵盤の配列方向で前記ダンパーペダルより高音側に配置された第２のペダルと、
前記第１のペダルと前記鍵盤ユニットとの間に接続され、前記第１のペダルが踏まれることに応じて前記鍵盤ユニットを引っ張ることにより、前記鍵盤ユニットを前記低音側に半音分移動させる第１のワイヤと、
前記第２のペダルと前記鍵盤ユニットとの間に接続され、前記第２のペダルが踏まれることに応じて前記鍵盤ユニットを引っ張ることにより、前記鍵盤ユニットを前記高音側に半音分移動させる第２のワイヤと
を具備することを特徴とする鍵盤楽器。
【発明の詳細な説明】
【技術分野】
【０００１】
本発明は、鍵盤を有する鍵盤楽器に関する。
【背景技術】
【０００２】
従来、鍵盤楽器の鍵盤は、白鍵と黒鍵とが白、黒、白、黒、白、白、黒、白、黒、白、黒及び白の繰り返しとなるように順に配列されて構成されている。配列された各鍵盤の音程は半音に設定され、各白鍵の音程は全音、全音、半音、全音、全音、全音及び半音の繰り返しとなるように設定されている。弦を有するアコースティックピアノ等の鍵盤楽器は、鍵盤を押鍵することでハンマが弦を叩き音が発生し、鍵盤から指を離すことでダンパが下がり弦を抑えて振動を停止させるように構成されている。エレクトリックピアノ等の電子式の鍵盤楽器は、音のデジタルデータを利用して音源により音が発生するように構成されている。このように、初心者から上級者まで略全ての人が利用可能な鍵盤楽器が提供されている。
【０００３】
この電子式の鍵盤楽器には、曲の調を移すための自動移調装置(機能)を具備しているものがある。例えば特許文献１には、電子式の鍵盤楽器全体の移調情報を設定するための移調情報設定手段や移調しないパートを設定するための移調除外パート設定手段を有する自動移調装置が開示されている。自動移調設定手段、移調除外パート設定手段に、移調する度数等の情報を設定することで、所望の移調を行っている。また、この電子式の鍵盤楽器は、例えば演奏者が演奏したデータを記憶し再生可能な自動演奏装置を有している。  
【特許文献１】特開平９−３１９３６８号公報（段落[００１２]、図１）
【発明の開示】
【発明が解決しようとする課題】
【０００４】
しかしながら、上記特許文献１の技術では、白鍵と黒鍵とが繰り返し配列されており、初心者が気軽に利用し易いものとはいい難い。
【０００５】
以上のような事情に鑑み、本発明の目的は、初心者等が利用し易い鍵盤楽器を提供することにある。
【課題を解決するための手段】
【０００６】
上記目的を達成するため、本発明に係る鍵盤楽器は、音程が全音、全音、半音、全音、全音、全音及び半音の繰り返しとなるように配列された鍵盤のみからなる鍵盤部と、前記鍵盤部を支持する支持部と、前記鍵盤毎に対応して設けられた振動可能な弦と、押鍵された前記鍵盤に連動して打弦するハンマーと、前記各弦に対して前記ハンマーを半音分移動させるためのペダル機構とを具備する。
【０００７】
本発明では、音程が全音、全音、半音、全音、全音、全音及び半音の繰り返しとなるように配列された鍵盤のみから鍵盤部が構成されている。すなわち、初心者等を鍵盤楽器から遠退ける原因となり得る鍵盤（例えば、黒鍵）を設けずに鍵盤が配列されている。これにより、曲の演奏に必要な鍵盤を確保しつつ初心者が鍵盤楽器に気軽に取り組めるようにすることができると共に、初心者が演奏し易くなるようにすることができる。鍵盤楽器を製造するために準備する鍵盤等の数を減少させることができるので、低コスト化を図ることができる。また、初心者は鍵盤のみを用いて演奏することができると共に、例えば中級者等はペダルを用いて半音分ずれた音を出して演奏すことができる。
【０００８】
ここで、鍵盤部とは、上記鍵盤１つ１つの集合体である。支持部は、例えば、各鍵盤を下から支持する支持部材、または各鍵盤の一部を収容するケーシング等を有している。
【０００９】
本発明の一の形態によれば、前記ハンマーによる打弦により振動する前記弦を振動させ続けるためのダンパーペダルを更に具備し、前記ペダル機構は、前記鍵盤の配列方向で前記ダンパーペダルより低音側に配置され、押鍵された前記鍵盤の音を半音下げることができる第１のペダルと、前記鍵盤の配列方向で前記ダンパーペダルより高音側に配置され、押鍵された前記鍵盤の音を半音上げることができる第２のペダルとを有する。これにより、演奏者から見て鍵盤の右側が高音側であり、左側が低音側である場合に、例えば演奏者の左の足を押鍵した鍵盤の音を半音下げるために用い、右の足を押鍵した鍵盤の音を半音上げるために用いることができる。したがって、演奏者にとって直感的なペダル操作が可能となり、第１のペダル及び第２のペダルを用いた演奏を容易にすることができる。
【００１０】
本発明の一の形態によれば、前記ハンマーは、前記第１のペダルにより、前記各弦の配列された方向で低音側に移動可能であり、前記第２のペダルにより、前記各弦の配列された方向で高音側に移動可能である。このため、例えば音を小さくするために各弦の配列方向にハンマーを移動させる従来のシフティングペダルと同様の機構を、ハンマーを半音分移動させるためのペダル機構に用いることができるので、低コスト化を図ることができる。
【００１１】
本発明の一の形態によれば、前記ハンマーは、前記第１のペダルにより、前記各弦が配列される方向に略垂直な軸の周りで低音側に回動可能であり、前記第２のペダルにより、前記軸の周りで高音側に回動可能である。このようにしても左右の足を用いて押鍵した音を半音下げたり上げたりすることができる。
【００１２】
本発明の一の形態によれば、鍵盤楽器は、各鍵盤上であって該各鍵盤の配列される面内でスライド可能に設けられた演奏支援盤を更に具備する。
【００１３】
本発明の一の形態によれば、鍵盤楽器は、前記各鍵盤に離接するように回動可能に設けられた演奏支援盤を更に具備する。
【００１４】
このような構成によれば、例えば演奏時等に演奏支援盤をスライド又は回動させて各鍵盤に重ね、演奏支援盤を利用して演奏することができる。従って、より一層演奏し易くすることができる。また、演奏終了時等には、例えば白鍵のみとすることで鍵盤上に形成されたスペースを有効に利用して再び演奏支援盤をスライド又は回動させて待避させることができる。
【００１５】
本発明の一の形態によれば、前記演奏支援盤は、黒鍵が印された支援盤、カラー鍵盤が印された支援盤、音階が印された支援盤、又は、数字が記された支援盤である。黒鍵が印された支援盤、音階が印された支援盤、数字が印された支援盤は、例えばスライド又は回動可能に設けられた透明シートに黒鍵盤印、音名、数字がそれぞれ印されたものである。カラー鍵盤は、例えばスライド又は回動可能な半透明シートであり、半透明シートをスライド又は回動させることで、各鍵盤に重なり各鍵盤が異なる色に見えるように着色されている。これにより、使用者等の好みに合わせて演奏支援盤を利用することができるので、より演奏し易くすることができる。
【００１６】
本発明の一の形態によれば、鍵盤楽器は、曲の情報を記憶する手段と、前記各鍵盤を上方からそれぞれ押鍵可能となるように設けられた複数の押鍵部と、前記曲の情報に基づき前記各押鍵部を制御する手段とを有し、前記支持部に載置可能な自動演奏部をさらに具備する。このような構成によれば、各鍵盤を上方から各押鍵部により押すことができる。このため、実際に演奏者が鍵盤を叩いたときのような繊細な音を発生させることができる。このとき、各押鍵部が移動する量及び速さ等を制御することで、より繊細な音の強弱を発生させることができる。自動演奏部は鍵盤楽器の支持部に載置して取り付けたり、取外したりすることができるので、汎用性に優れている。鍵盤楽器の内部に自動演奏部を設ける必要がないので、低コスト化を図ることができる。
【発明の効果】
【００１７】
以上のように、本発明によれば、音程が全音、全音、半音、全音、全音、全音及び半音の繰り返しとなるように配列された鍵盤のみから鍵盤部を構成することで、初心者が利用し易い鍵盤楽器を提供することができる。また、初心者は鍵盤のみを用いて演奏することができると共に、例えば中級者等はペダルを用いて半音分ずれた音を出して演奏すことができる。
【発明を実施するための最良の形態】
【００１８】
以下、本発明の実施の形態を図面に基づき説明する。
【００１９】
図１、図２及び図３は、本発明の第１の実施の形態に係る電子式の鍵盤楽器を示すブロック図、正面図、及び、部分平面図である。
【００２０】
本実施形態の鍵盤楽器１０は、鍵盤楽器１０全体を制御するＣＰＵ（Central Processing Unit）１を備えている。ＣＰＵ１は、制御プログラムやＰＣＭ（Pulse Code Modulation）データ等が記憶されたＲＯＭ（Read Only memory）２、ＣＰＵ１のワークエリアとなるとともに、鍵盤楽器１０の外部から入力された曲の情報や、後述する設定パネル１１で設定された曲の調の情報等を記憶可能なＲＡＭ（Random Access memory）３、複数の音を同時に発生可能な音源回路７にそれぞれ内部インターフェースを介して接続されている。ＲＡＭ３に記憶された曲の情報には、例えば、鍵盤楽器１０の外部から入力された曲に使用されている音、音の使用回数等の情報が含まれている。
【００２１】
音源回路７は、図示を省略したＤ／Ａ（Digital／Analog）変換器、アンプ８を介してスピーカ９に接続されている。鍵盤楽器１０は、音を入力するための鍵盤部４を備えている。鍵盤部４は発音又は消音される音のタイミング等を指示するための鍵盤２１を複数有している（図２参照）。鍵盤部４は、各鍵盤２１のオンオフをスキャンして操作された鍵盤２１を検出したりする鍵盤部インターフェース回路５を介してＣＰＵ１等に接続されている。
【００２２】
ＣＰＵ１等は、移調先となる調を設定可能な設定パネル１１に内部インターフェースを介して接続されている。例えば鍵盤楽器１０の使用者の操作入力により、鍵盤楽器１０が再生する曲の調を設定するために設定パネル１１が用いられる。この設定パネル１１には、例えば図示しない操作ボタンが設けられており、使用者によってその操作ボタンが操作されることでＣＰＵ１は移調先を設定する。ＣＰＵ１等は、自動移調プログラムが記憶された自動移調プログラム記憶部６に内部インターフェースを介して接続されている。
【００２３】
自動移調プログラムは、ＲＡＭ３に記憶された音の情報に基づき、鍵盤楽器１０の外部から入力された曲の調を判別し、判別された調の音を設定パネル１１で設定された調の音に移すことで、調を移調するために用いられる。鍵盤楽器１０の外部から入力された曲とは、例えば利用者が鍵盤２１をたたいて入力された曲等が考えられる。これを以下、初期設定という。しかし、使用者が初心者である場合、当該初心者が、ある１つの曲を入力することは難しい。したがって、この場合、その使用者はその曲のテンポ等に関係なく鍵盤をたたいて１つ１つの音を入力していくようにすればよい。この場合、使用者は楽譜を見ながら入力すればよい。また、この場合の楽譜としては、本実施の形態に係る鍵盤楽器１０で用いることができる楽譜等が予め用意されていればよい。
【００２４】
図２及び図３に示すように、鍵盤楽器１０は、鍵盤部４と、鍵盤部４を支持可能な支持部１７とを備えている。鍵盤部４は、音程が全音、全音、半音、全音、全音、全音及び半音の繰り返しとなるようにＸ方向に配列された鍵盤２１のみから構成されている。各鍵盤２１は、全て同一色であり、例えば白色に設定されており、黒鍵は設けられていない。なお、全て同一色の例を示したが、例えば、「ド（音名）」に相当する鍵盤２１を他の鍵盤と異なる色にしたり、１オクターブ毎に鍵盤の色を異なる色にしたりするようにしてもよい。また、設定パネル１１で設定した移調先の調の主音を発生させるための鍵盤２１の位置は、例えば、鍵盤部４の中央（真中）のドの位置に設定されていることが好ましい。この位置は、一見して分かるように印を印したり発光するようにしてもよい。
【００２５】
支持部１７の上面には、各鍵盤２１側から見てＹ方向奥側に、演奏を支援するための演奏支援盤１５が収容された収容部１８が設けられている。演奏支援盤１５は、各鍵盤２１上であって各鍵盤２１の配列される面内で初期設定位置ＳからＹ方向にスライド可能に設けられている。演奏支援盤１５をＹ方向にスライドさせることで、各鍵盤２１上のスペースに移動させ鍵盤２１に重ねることができる。演奏支援盤１５は、例えば透明シートに「ドレミファソラシド」等の音名が印されたものである。なお、例えば、音名の代わりに黒鍵盤印、数字がそれぞれ印された透明シートを用いるようにしてもよいし、スライドして各鍵盤２１に重ねることで各鍵盤２１が異なる色に見えるように着色された半透明シートを用いるようにしてもよい。また、各鍵盤２１自体の色を同様に変えるようにしてもよい。
【００２６】
次に、鍵盤楽器１０の動作について図面を参照しながら説明する。なお、既に上記初期設定が終了し、設定パネル１１から予め移調先の調の情報が設定されてＲＡＭ３に記憶された後のステップについて説明する。初心者等は、例えば演奏し易い「ハ長調」に移調先を設定することが好ましい。
【００２７】
図４に示すように、ステップ１０において、ＣＰＵ１は、自動移調プログラムによりＲＡＭ３に記憶された曲の音と、音の使用回数の情報を用いて、入力された曲の調を判別する。例えば、入力された音の情報を多い順に８個選択し、選択された各音の間の音程を演算し、音程が全音、全音、半音、全音、全音、全音及び半音となるときには長調と判断する。一方、同様に選択された各音の間の音程が全音、半音、全音、全音、半音、全音及び全音となるときには短調と判断する。
【００２８】
ステップ１１では、８個の音の情報のうち最低音を主音と判別する。これにより、曲の調が例えば「ホ長調」等に判別されるとする。
【００２９】
ステップ１２では、ステップ１０、１１で判別された曲の調の音を、設定パネル１１で設定された調の音に移して移調する。例えば、設定パネル１１で設定された移調先の調が「ハ長調」、ステップ１０、１１で判別された曲の調が「ホ長調」のときには、半音４個分移すように設定されている。
【００３０】
以上のように、本実施形態では、鍵盤楽器１０は音程が全音、全音、半音、全音、全音、全音及び半音の繰り返しとなるように配列された鍵盤２１のみからなる鍵盤部４を備えている。すなわち、初心者等を鍵盤楽器１０から遠退ける原因となり得る黒鍵を設けずに各鍵盤２１が配列されている。これにより、曲の演奏に必要な各鍵盤２１を確保しつつ初心者が鍵盤楽器１０に気軽に取り組めるようにすることができると共に、初心者が演奏し易くなるようにすることができる。鍵盤楽器１０を製造するために準備する鍵盤２１等の数を減少させることができるので、低コスト化を図ることができる。
【００３１】
本実施形態では、各鍵盤２１が全て同一色である。このような構成によれば、初心者が打楽器に取り組むように鍵盤楽器１０に取り組むことができると共に、鍵盤楽器１０を製造するために異なる色や形状の鍵盤２１を準備する必要がないので、低コスト化を図ることができる。なお、本実施形態では、電子式の鍵盤楽器１０を例示したが、アコースティックピアノ等の鍵盤楽器の場合には、鍵盤や鍵盤を押鍵することで弦を叩くハンマーや弦の数を減少させることができるので、低コスト化を図ることができる。
【００３２】
本実施形態では、設定パネル１１で設定される調の情報等を記憶し、自動移調プログラムにより自動移調を行っている。これにより、移調するための度数等の情報を使用者が設定することなく容易に移調することができる。従って、移調された曲を演奏者が聞きながら同調で演奏したりすることが可能となる。このとき、移調した楽譜を予め準備しておくことが好ましい。これにより、予め準備した楽譜を見ながら演奏することができるので、演奏がより容易となる。
【００３３】
本実施形態では、演奏支援盤１５が、各鍵盤２１上であって各鍵盤２１の配列される面内でＹ方向にスライド可能に設けられている。このため、演奏時に演奏支援盤１５をスライドさせて各鍵盤２１に重ね、演奏支援盤１５を利用して演奏することができる。従って、より一層容易に演奏することができる。また、演奏終了時等には、各鍵盤２１上のスペースを有効に利用して再び演奏支援盤１５をスライドさせて待避させることができる。つまり、黒鍵がないので演奏支援盤１５をスライドさせることが容易となる。
【００３４】
図５は図２に示す鍵盤楽器を示す正面図、図６は鍵盤楽器の自動演奏装置を示すブロック図である。
【００３５】
図５に示すように、本実施形態の鍵盤楽器３０は、自動で曲を演奏可能な自動演奏装置５０を備えている。自動演奏装置５０は、支持部１７の上面に載置されて設けられている。自動演奏装置５０は、支持部１７の上面に載置されたケーシング５１と、各鍵盤２１を上方からそれぞれ押鍵可能に設けられた複数の押鍵部５２とを備えている。自動演奏装置５０が支持部１７の上面に安定して支持されるように、ケーシング５１の下端面に、例えば自動演奏装置５０の位置ずれを防止するための合成樹脂製部材を設けたり、支持部１７の上面に凹部を設けたりするようにすることが好ましい。
【００３６】
ケーシング５１内には、図６に示すように、自動演奏装置５０全体を制御するＣＰＵ５７と、ＣＰＵ５７のワークエリアとなるＲＡＭ５３と、制御プログラム、ＰＣＭデータ及び曲の情報等が記憶されたＲＯＭ５４と、ＣＰＵ５７の命令により押鍵部５２を上下動させるためのインターフェース回路５６とを有している。各押鍵部５２は、例えば磁性体でなり、円柱状の形状を有しており、周りにはコイルが巻回されている。ＣＰＵ５７によりコイルに印加する電圧を制御することで、各押鍵部５２を上下動させ各鍵盤２１を上方から押すことができるように構成されている。このため、実際に演奏者が鍵盤２１を叩いたときのような繊細な音を発生させることができる。このとき、各押鍵部５２が移動する量及び速さ等をＣＰＵ５７が制御することで、より繊細な音の強弱を発生させることができる。自動演奏装置５０は支持部１７に載置して取り付けたり、取外したりすることができるので、汎用性に優れている。鍵盤楽器３０の内部に自動演奏装置５０を設ける必要がないので、専門業者等により鍵盤楽器を改造する必要がなくなり、低コスト化を図ることができる。
【００３７】
図８は第３の実施の形態の鍵盤楽器のペダル機構を示す正面図、図９は鍵盤ユニットの内部を示す側面図である。図１１は、図９に示す鍵盤ユニットの一部を示す平面図である。第３の実施の形態において、上記第１の実施の形態に係る鍵盤楽器１０の部材や機能等について同様のものは説明を簡略または省略し、異なる点を中心に説明する。
【００３８】
鍵盤楽器１００は、音を半音分移調させることが可能なペダル機構７０と、ペダル機構７０により操作される鍵盤ユニット８０（図９参照）とを備えている。
【００３９】
ペダル機構７０は、ダンパーペダル７１を備え、また鍵盤部１８０の鍵盤８５の配列方向でダンパーペダル７１より低音側（例えば左側）に設けられた第１のペダル７２、鍵盤８５の配列方向でダンパーペダル７１より高音側（例えば右側）に設けられた第２のペダル７３を備えている。
【００４０】
第１のペダル７２は、例えばワイヤ７５の一端部に連結されておりワイヤ７５の他端部は鍵盤ユニット８０の左側に連結されている。ワイヤ７５は、パイプ７６に収容されている。第１のペダル７２を踏むことで、ワイヤ７５が矢印Ｂ方向に引かれ、鍵盤ユニット８０が半音分左方向Ｃに移動するように構成されている。
【００４１】
第２のペダル７３は、例えばワイヤ７７の一端部に連結されておりワイヤ７７の他端部は鍵盤ユニット８０の右側に連結されている。ワイヤ７７は、パイプ７８に収容されている。第２のペダル７３を踏むことで、ワイヤ７７が矢印Ｄ方向に引かれ、鍵盤ユニット８０が半音分右方向Ｅに移動するように構成されている。
【００４２】
図９に示すように、鍵盤ユニット８０には、鍵盤部１８０と、鍵盤部１８０を支持する支持部材８１と、打弦機構８２と、ダンパー機構９０とが設けられている。打弦機構８２及びダンパー機構９０は周知の構造でなり、これらは１つの鍵盤８５ごとに設けられている。打弦機構８２は、１つの鍵盤８５に対応する弦９１、９２、９３（９４〜９６、９７〜９９）（図１１参照）を弾いて音を出すための楕円板状のハンマー８２ａ、（８２ｂ、８２ｃ）、これらのハンマー８２ａ等を支持する支持棒８２ｅ、演奏者による押鍵時にハンマー８２ａ等が上昇するように支持棒８２ｅの一端部を軸支する軸支部材８２ｆ、押鍵時に鍵盤８５に連動して支持棒８２ｅのハンマー８２ａ側を上昇させるための棒部材８２ｇ等を有している。棒部材８２ｇは後述するように鍵盤８５の動きに連動するように構成されている。
【００４３】
ダンパー機構９０は、弦９１、９２、９３に当接してその振動を停止させるためのダンパー９０ａ、ダンパー９０ａに接続されたワイヤ９０ｂ、ワイヤ９０ｂの下端に接続され、演奏者により鍵盤８５が押鍵されたときに鍵盤８５の端部８５ａに当接して突き上げられる回動部材９０ｃと備えている。また、ダンパー機構９０は上述したように鍵盤８５ごとに設けられているが、ダンパー機構９０の全てがダンパーペダル７１に突き上げ棒７４を介して機構的に接続されている。これにより、演奏者によりダンパーペダル７１が踏まれることで、突き上げ棒７４が矢印Ａ方向（図８参照）に突き上げられ、全てのダンパー機構９０が作動して各ダンパー９０ａが弦９１等から離れた状態となる。
【００４４】
次に、鍵盤８５を押鍵したとき及びダンパーペダル７１を踏んだときの動作について説明する。
【００４５】
図１０に示すように、鍵盤８５を押鍵すると端部８５ａの上昇に連動して、棒部材８２ｇの一端部が上昇すると共に支持棒８２ｅの他端部が上昇する。棒部材８２ｇの上昇は軸支部材８２ｆの底面により制限される。支持棒８２ｅと一体的にハンマー８２ａが上昇し打弦した後ハンマー８２ａが下降し弦９１から離れる。押鍵により上昇する端部８５ａは回動部材９０ｃを回動させて、ワイヤ９０ｂと共にダンパー９０ａを突き上げ、弦９１からダンパー９０ａが離れるようにする。これにより、鍵盤８５が押鍵されている間は、弦９１が振動し続ける。演奏者が鍵盤８５を離すと、端部８５ａが下降すると共に、回動部材９０ｃが下降する。回動部材９０ｃの下降に連動してワイヤ９０ｂと一体的にダンパー９０ａが下降し、ダンパー９０ａが弦９１に接触する。一方、ダンパーペダル７１を踏むと、突き上げ棒７４が上昇し、全ての鍵盤８５に対応する全ての回動部材９０ｃが回動して上昇する。回動部材９０ｃ等が上昇する共に、ワイヤ９０ｂと一体的にダンパー９０ａが上昇し、弦９１から離れる。演奏者がダンパーペダル７１を離すと、突き上げ棒７４が下降すると共に回動部材９０ｃ等が下降する。回動部材９０ｃ等の下降に連動して、ワイヤ９０ｂと一体的にダンパー９０ａが下降し、ダンパー９０ａが弦９１に接触する。すなわち、ダンパーペダル７１を踏んでいる間は、押鍵されない状態でも弦９１とダンパー９０ａとが離れた状態を保ち一度鳴らした音を響かせることができる。
【００４６】
次に、第２のペダル７３の使用時の動作について説明する。図１２は鍵盤楽器１００におけるハンマー８２ａ近傍の第２のペダル７３を使用したときの拡大平面図である。
【００４７】
図１１に示すように、第２のペダル７３の未使用時には、例えば３本の弦９１、９２、９３がハンマー８２ａの直上に設けられ、３本の弦９４、９５、９６がハンマー８２ｂの直上に設けられ、３本の弦９７、９８、９９がハンマー８２ｃの直上に設けられている。このとき、例えば、演奏者がハンマー８２ａに対応する鍵盤８５を押鍵する共に第２のペダル７３を踏むと、図１２に示すように各弦に対して各ハンマーが高音側（右方向Ｅ）に半音分移動する。すなわち、ハンマー８２ａは弦９４、９５、９６を打弦する。図１３に示すように、例えば演奏者が鍵盤８６を押鍵すると共に第１のペダル７２を踏むことで、鍵盤８６の音より半音低い音を出すための実際には設けられていない鍵盤８７（通常は黒鍵）の音を出すことができる。鍵盤８５を押鍵すると共に第２のペダル７３を踏むことで、鍵盤８７の音を出すことができる。このように、全音間隔で設けられた鍵盤の音から半音ずれた音を出すことができる。
【００４８】
以上のように、本実施形態に係る鍵盤楽器１００は、弦９１等に対して半音分ハンマー８２ａを低音側に移動させたり高音側に移動させたりするペダル機構７０を備えている。このため、初心者はペダル７１、７２、７３を用いずに鍵盤８５だけを用いて演奏することができると共に、例えば中級者以上の人は足を使って音を半音上げたり下げたりして演奏することができる。
【００４９】
本実施形態に係る鍵盤楽器１００は、鍵盤８５の配列方向でダンパーペダル７１より低音側に配置された第１のペダル７２と、鍵盤８５の配列方向でダンパーペダル７１より高音側に配置された第２のペダル７３とを備えている。このため、演奏時にダンパーペダル７１を挟んで左に第１のペダル７２、右に第２のペダル７３が位置することになる。従って、左右の足をそれぞれ音の半音下げ上げに対応させることができるので、直感的な演奏が可能となり、第１のペダル７２及び第２のペダル７３を用いた演奏を容易にすることができる。
【００５０】
本実施形態では、第１のペダル７２を踏むことにより、ワイヤ７５を介して弦９１等の配列された方向で低音側にハンマー８２ａ等を移動させることができると共に、第２のペダル７３を踏むことより、ワイヤ７７を介して弦９１等の配列された方向で高音側にハンマー８２ａ等を移動させることができる。このため、例えば音を小さくするために各弦の配列方向にハンマーを移動させる周知のシフティングペダルと同様の機構を、ペダル機構７０に用いることができるので、低コスト化を図ることができる。
【００５１】
図１４は第４の実施の形態の鍵盤楽器のペダル機構を示す拡大平面図である。
【００５２】
本実施形態では、ハンマー８２ｂは、弦９１等が配列される方向に垂直な回動軸１０１の周りに、低音側及び高音側にそれぞれ半音分回動可能に設けられている。ハンマー８２ｂの先端部は、ワイヤ１０５の一端に連結されており、ワイヤ１０５の他端部は第１のペダル７２に連結されている。また、ハンマー８２ｂの先端部は、ワイヤ１０６の一端部に連結されており、ワイヤ１０６の他端部は第２のペダル７３に連結されている。なお、他のハンマーについても同様に構成されている。
【００５３】
本実施形態では、演奏者が第１のペダル７２を踏むことで、ハンマー８２ｂを回動軸１０１の周りに低音側に半音分回動させることができると共に、第２のペダル７３を踏むことで、ハンマー８２ｂを回動軸１０１の周りに高音側に半音分回動させることができる。このようにしても同様に第１のペダル７２及び第２のペダル７３を用いて、押鍵した音を半音上げたり下げたりすることができる。
【００５４】
本発明は以上説明した実施形態には限定されるものではなく、種々の変形が可能である。
【００５５】
例えば、曲の音及びその曲の調の情報等が予め記憶された図示を省略したＲＯＭを備え、第１の実施形態の自動移調プログラムのうちステップ１２のみを有する自動移調プログラムを備えるようにしてもよい。この場合の自動移調プログラムは、ＲＯＭに記憶されている曲の音の情報を、ＲＯＭに記憶された曲の調の情報に基づき、設定パネル１１で設定された調の音に自動で移調するために用いられる。このような構成では、予めＲＯＭに曲の調の情報が記憶されているので、第１の実施形態のように曲の調を判別する必要がない。従って、曲の調の判別が不正確のために正確に移調できなくなることを防止することができるので、確実かつ迅速に移調することができる。
【００５６】
上記第１の実施の形態では、曲に使用されている音とその使用回数を用いる自動移調プログラムを使用して移調する例を示した。しかし、移調するプログラムはこれに限定されない。例えば、曲の最初又は最後に主音がくることが多いことに着目し、曲の最初又は最後の音により主音と判別するようにしてもよい。また、上記実施形態と同様に曲の調を判別し、調の判別が適正であるか否かを判断するために曲の最初又は最後の音を使用するようにしてもよい。
【００５７】
上記第１の実施形態では、ステップ１０で曲が長調か否かを判別し、ステップ１１で主音を判別する例を示した。しかし、主音を判別した後に曲が長調か否かを判別するようにしてもよい。
【００５８】
上記第１の実施形態では、初期設定において、使用者が鍵盤部４で鍵盤をたたく等して曲を演奏することによって、その曲の情報を入力する例を示した。しかし、入力装置はこれに限定されない。例えば、図１に示すように、鍵盤楽器１０の外部から曲の情報を入力可能なマイクロフォン１２や図示を省略したＣＤ−ＲＯＭドライブを、音をデジタルデータに変換する図示を省略したサンプラ部を介して接続するようにしてもよい。マイクロフォン１２や図示を省略したＣＤ（Compact Disk）−ＲＯＭドライブのＣＤから入力した音をサンプリングし、同様に音の情報に基づき調を判別し移調するようにしても同様の効果を得ることができる。
【００５９】
上記第１の実施形態では、設定パネル１１で設定される移調先の調の情報と、曲の音の情報とが同一のＲＡＭ３に記憶される例を示した。しかし、設定パネル１１で設定される調の情報と、曲の音の情報とが異なるＲＡＭに記憶されるようにしてもよい。
【００６０】
上記第２の実施形態では、曲の情報が記憶されたＲＯＭ５４を有する自動演奏装置５０を例示した。しかし、ＲＯＭ５４に曲の情報を持たせずに、外部からＲＡＭ３に入力して記憶された曲の情報を用いて自動演奏するようにしてもよい。このようにすることで、自動演奏装置の低コスト化を図ることができる。
【００６１】
上記第２の実施形態では、各押鍵部５２を電磁式に上下動させる例を示した。しかし、例えば空気圧、水圧、油圧によるシリンダ駆動、又はリニアモータ等の駆動機構によって押鍵部５２を上下動するようにしてもよい。このようにしても、同様に繊細な音を発生させることができる。
【００６２】
上記実施形態では、自動移調プログラムを有している例を示した。しかし、設定パネル１１に手動式の移調設定部を設けるようにしてもよい。このようにしても、鍵盤楽器の利用者が移調する度数を計算して手動で移調し、移調された曲を演奏者が聞きながら同調で演奏したりすることが可能となる。
【００６３】
上記実施形態では、スライド可能に設けられた演奏支援盤１５を例示した。しかし、これに限定されず、例えば、図７に示すように、アコースティックピアノ４０等の場合には、各鍵盤２１に離接するように蓋４５の回動軸Ｘと同軸上に回動可能に設けられた演奏支援盤２６を用いるようにしてもよい。これにより、演奏支援盤２６を回動させ各鍵盤２１に重ねることで、演奏支援盤を利用することができるので、初心者が演奏し易くすることができる。
【００６４】
上記実施形態では、本発明を鍵盤楽器１０、３０が自動移調プログラムや演奏支援盤１５を有する例を示したが、自動移調プログラムや演奏支援盤１５を有さないようにしてもよい。
【００６５】
上記実施形態では、本発明を電子式の鍵盤楽器に適用する例を示したが、アコースティックの鍵盤楽器に適用してもよいことは云うまでもない。
【図面の簡単な説明】
【００６６】
【図１】本発明の第１の実施の形態に係る電子式の鍵盤楽器を示すブロック図である。
【図２】第１の実施の形態に係る鍵盤楽器を示す正面図である。
【図３】図２に示す鍵盤楽器を示す部分平面図である。
【図４】自動演奏プログラムのフローチャートである。
【図５】図２に示す鍵盤楽器を示す正面図である。
【図６】本発明の第２の実施の形態に係る鍵盤楽器の自動演奏装置を示すブロック図である。
【図７】第１、第２の実施の形態に係る鍵盤楽器の演奏支援盤の変形例を示す側面図である。
【図８】本発明の第３の実施の形態の鍵盤楽器のペダル機構を示す正面図である。
【図９】図８に示す鍵盤楽器の鍵盤ユニットの内部を示す側面図である。
【図１０】鍵盤ユニットの内部の打弦時の拡大平面図である。
【図１１】鍵盤楽器におけるハンマー近傍の第２のペダルを使用する前の拡大平面図である。
【図１２】鍵盤楽器におけるハンマー近傍の第２のペダルを使用したときの拡大平面図である。
【図１３】鍵盤楽器におけるハンマー近傍の第２のペダルの使用による作用を説明するための図である。
【図１４】本発明の第４の実施の形態の鍵盤楽器のペダル機構を示す拡大平面図である。
【符号の説明】
【００６７】
１、５７…ＣＰＵ
３、５３…ＲＡＭ
４、１８０…鍵盤部
６…自動移調プログラム記憶部
１０、３０、１００…鍵盤楽器
１１…設定パネル
１５、２６…演奏支援盤
１７…支持部
２１、８５、８６…鍵盤
５０…自動演奏装置
５２…押鍵部
５４…ＲＯＭ
７１…ダンパーペダル
７２…第１のペダル
７３…第２のペダル
８２ａ、８２ｂ、８２ｃ…ハンマー
【図１】
0004457095.tif 000002
【図２】
0004457095.tif 000003
【図３】
0004457095.tif 000004
【図４】
0004457095.tif 000005
【図５】
0004457095.tif 000006
【図６】
0004457095.tif 000007
【図７】
0004457095.tif 000008
【図８】
0004457095.tif 000009
【図９】
0004457095.tif 000010
【図１０】
0004457095.tif 000011
【図１１】
0004457095.tif 000012
【図１２】
0004457095.tif 000013
【図１３】
0004457095.tif 000014
【図１４】
0004457095.tif 000015